(57)【要約】【課題】フレアやゴーストを抑制可能なレンズ鏡筒を提供する。【解決手段】レンズ鏡筒１は、固定枠６００と、第１遮蔽板６１０と、を備える。固定枠６００は、第２光軸ＡＸ２に沿った方向の壁に形成される第１貫通孔Ｔ１を有する。第１遮蔽板６１０は、第１貫通孔Ｔ１を固定枠６００の第１外面Ｓ１から塞ぐように配置される。第１遮蔽板６１０の固定枠６００内に露出する第１内面６１０Ｓの光反射率は、固定枠６００の第１内面Ｓ２の光反射率よりも低い。【選択図】図１
2015025826.tif 000002
【特許請求の範囲】
【請求項１】
反射部材によって、第１光軸を前記第１光軸と略直交する第２光軸へと屈曲させるレンズ鏡筒において、
前記レンズ鏡筒を構成する少なくとも１つの枠体と、
遮蔽部材と、
を備え、
前記枠体は、前記第２光軸に沿った方向の壁に少なくとも１つの貫通孔を有し、
前記遮蔽部材は、前記貫通孔を前記枠体の外面から塞ぐように配置され、
前記遮蔽部材の前記枠体内に露出する内面の少なくとも一部の光反射率は、前記枠体の内面の光反射率よりも低い、
レンズ鏡筒。
【請求項２】
前記遮蔽部材の前記枠体内に露出する前記内面は、前記枠体の前記内面より前記第２光軸に対して外側に配置される、
請求項１に記載のレンズ鏡筒。
【発明の詳細な説明】
【技術分野】
【０００１】
ここに開示される技術は、光学系を備えるレンズ鏡筒に関する。
【背景技術】
【０００２】
従来、フレアやゴーストを抑制することを目的として、レンズ鏡筒の内面に微細な溝を形成する手法が広く知られている（特許文献１参照）。この手法によれば、レンズから出射される不要光の一部を溝で散乱させることができるとされている。
【先行技術文献】
【特許文献】
【０００３】
【特許文献１】特開平９−１５４７５号公報
【発明の概要】
【発明が解決しようとする課題】
【０００４】
しかしながら、特許文献１に記載されるようにレンズ鏡筒の内面に溝を形成することによっては、不要光を散乱させるにも限界がある。
ここに開示される技術は、上述のような状況に鑑みてなされたものであり、フレアやゴーストを抑制可能なレンズ鏡筒を提供することを目的とする。
【課題を解決するための手段】
【０００５】
ここに開示される技術は、反射部材によって、第１光軸を第１光軸と略直交する第２光軸へと屈曲させるレンズ鏡筒に関する。レンズ鏡筒は、レンズ鏡筒を構成する少なくとも１つの枠体と、遮蔽部材と、を備える。枠体は、第２光軸に沿った方向の壁に少なくとも１つの貫通孔を有する。遮蔽部材は、貫通孔を枠体の外面から塞ぐように配置される。遮蔽部材の枠体内に露出する内面の少なくとも一部の光反射率は、枠体の内面の光反射率よりも低い。
【発明の効果】
【０００６】
ここに開示される技術によれば、フレアやゴーストを抑制可能なレンズ鏡筒を提供することができる。
【図面の簡単な説明】
【０００７】
【図１】レンズ鏡筒の分解斜視図
【図２】レンズ鏡筒の断面図
【図３】レンズ鏡筒の断面図
【図４】固定枠の内面における光の反射を説明するための図
【発明を実施するための形態】
【０００８】
［１．レンズ鏡筒の構成］
図１は、実施形態に係るレンズ鏡筒１の分解斜視図である。図２は、実施形態に係るレンズ鏡筒１の断面図である。図２は、第１光軸ＡＸ１と第２光軸ＡＸ２を含む平面でレンズ鏡筒１を切断した断面図である。
なお、以下の説明では、第１光軸ＡＸ１に沿った方向を「第１方向」、第１光軸ＡＸ１に直交する第２光軸ＡＸ２に沿った方向を「第２方向」、第１光軸ＡＸ１及び第２光軸ＡＸ２に直交する方向を「第３方向」と称する。
図１及び図２に示すように、レンズ鏡筒１は、１群枠１００、２群枠２００、ズームモータ３００、シャッターユニット４００、像ぶれ補正ユニット５００、固定枠６００、第１遮蔽板６１０、第２遮蔽板６２０、４群枠７００、フォーカスモータ８００及び撮像素子９００を備える。
【０００９】
１群枠１００は、前玉レンズ群Ｌ１と、プリズムＬ２と、固定レンズＬ３と、を保持する。前玉レンズ群Ｌ１は、第１光軸ＡＸ１を有する。プリズムＬ２は、第１方向に入射する光線を第２方向に屈曲させる。
２群枠２００は、変倍作用のあるズームレンズ群Ｌ４を保持する。２群枠２００は、１群枠１００の内部において第２方向に移動自在に保持される。ズームレンズ群Ｌ４は、プリズムＬ２の撮像素子９００側に配置されている。
ズームモータ３００は、１群枠１００の側面に取り付けられる。ズームモータ３００は、１群枠１００の内部において２群枠２００を第２方向に移動させる。
シャッターユニット４００は、撮像素子９００に向かう光の遮蔽と通過を制御することによって、撮像素子９００に当たる光量を調整する。シャッターユニット４００は、１群枠１００の撮像素子９００側に取り付けられる。
【００１０】
像ぶれ補正ユニット５００は、撮像素子９００における結像画像のぶれを補正する。像ぶれ補正ユニット５００は、シャッターユニット４００の撮像素子９００側に配置される。像ぶれ補正ユニット５００は、可動枠５１０と、３群枠５２０と、を有する。
可動枠５１０は、シャッターユニット４００の撮像素子９００側に配置され、像ブレ補正レンズＬ５を保持する。可動枠５１０は、３群枠５２０によって、第２光軸ＡＸ２に垂直な面内で移動可能に支持される。３群枠５２０は、図示しないホール素子やコイルを備える。３群枠５２０は、１群枠１００に連結される。３群枠５２０は、固定枠６００に支持される。
固定枠６００（枠体の一例）は、３群枠５２０を支持する。固定枠６００は、第２方向に摺動可能に４群枠７００を保持する。固定枠６００の下端部には、固定レンズ群Ｌ７が固定され、固定枠６００の側面には、フォーカスモータ８００が取り付けられる。
【００１１】
また、固定枠６００の下端部内周には、第２光軸ＡＸ２に向かって突出する矩形環状の光遮断部６０１が形成されている。光遮断部６０１は、後述する第１及び第２貫通孔Ｔ１，Ｔ２よりも撮像素子９００側に配置される。光遮断部６０１は、フォーカスレンズ群Ｌ６から出射される不要光、或いは、後述する第１及び第２遮蔽部材６１０，６２０によって反射された不要光が固定レンズ群Ｌ７に入射することを抑制する。
ここで、固定枠６００は、第１及び第２貫通孔Ｔ１，Ｔ２（貫通孔の一例）を有する。第１及び第２貫通孔Ｔ１，Ｔ２は、固定枠６００のうち第２方向に設けられる壁に形成される。より具体的に、第１及び第２貫通孔Ｔ１，Ｔ２それぞれは、固定枠６００のうち第１光軸ＡＸ１に直交する壁に設けられている。換言すると、図２に示すように、第１貫通孔Ｔ１は、第１光軸ＡＸ１に直交する第１外面Ｓ１から第１内面Ｓ２まで固定枠６００を貫通し、第２貫通孔Ｔ２は、第１光軸ＡＸ１に直交する第２外面Ｓ３から第２内面Ｓ４まで固定枠６００を貫通する。なお、第１及び第２貫通孔Ｔ１，Ｔ２とフォーカスレンズ群Ｌ６との配置関係については後述する。
【００１２】
第１遮蔽板６１０（遮蔽部材の一例）は、板状に形成されている。第１遮蔽板６１０は、第１貫通孔Ｔ１を塞ぐように第１外面Ｓ１上に配置される。より具体的に、第１遮蔽板６１０は、第１外面Ｓ１に形成される凹部６０２内に配置されている。
第２遮蔽板６２０（遮蔽部材の一例）は、板状に形成されている。第２遮蔽板６２０は、第２貫通孔Ｔ２を塞ぐように第２外面Ｓ３上に配置される。
また、第１遮蔽板６１０のうち固定枠６００内に露出する第１内面６１０Ｓの光反射率は、固定枠６００の第１内面Ｓ２の光反射率よりも低い。同様に、第２遮蔽板６２０のうち固定枠６００内に露出する第２内面６２０Ｓの光反射率は、固定枠６００の第２内面Ｓ４の光反射率よりも低い。第１及び第２内面６１０Ｓ,６２０Ｓには、微細な凹凸、溝或いは植毛などが形成されたり、黒色塗料が塗布されている。なお、第１及び第２遮蔽部材６１０，６２０は、接着剤などによって固定枠６００に固定されていてもよい。
【００１３】
なお、本実施形態において、第１遮蔽板６１０の第１内面６１０Ｓは、第２光軸ＡＸ２を基準として、固定枠６００の第１内面Ｓ２よりも外側に位置している。同様に、第２遮蔽板６２０の第２内面６２０Ｓは、第２光軸ＡＸ２を基準として、固定枠６００の第２内面Ｓ４よりも外側に位置している。
４群枠７００は、焦点調節作用のあるフォーカスレンズ群Ｌ６を保持する。４群枠７００は、固定枠６００の内部において第２方向に摺動可能に保持されている。４群枠７００は、像ブレ補正レンズＬ５の撮像素子９００側に配置される。４群枠７００は、フォーカスモータ８００によって駆動される。
フォーカスモータ８００は、固定枠６００の側面に取り付けられる。フォーカスモータ８００の下端面には、シールド板８１０が貼り付けられている。シールド板８１０は、高透磁率材料によって構成される。シールド板８１０は、フォーカスモータ８００から発生する磁力線が撮像素子９００に向かわないように遮蔽する。
【００１４】
撮像素子９００は、板金９１０に接着固定されている。板金９１０は、間に遮蔽部材９３０を挟んで固定枠６００の下端部に固定されている。撮像素子９００は、フレキシブルプリント基板９２０に電気的に接続されている。
［２．貫通孔とフォーカスレンズ群との配置関係］
次に、図３を参照しながら、第１及び第２貫通孔Ｔ１，Ｔ２とフォーカスレンズ群Ｌ６との配置関係について説明する。図３は、図２のIII-III矢視図である。
図３に示すように、フォーカスレンズ群Ｌ６は、第１曲面Ｍ１、第２曲面Ｍ２、第１平面Ｎ１及び第２平面Ｎ２を有する。第１及び第２平面Ｎ１，Ｎ２それぞれは、第１光軸ＡＸ１に垂直である。すなわち、第１平面Ｎ１は、固定枠６００の第１内面Ｓ２および第１遮蔽板６１０の第１内面６１０Ｓに略平行であり、第２平面Ｎ２は、固定枠６００の第２内面Ｓ４および第２遮蔽板６２０の第２内面６２０Ｓに略平行である。
【００１５】
このように、フォーカスレンズ群Ｌ６が第１及び第２平面Ｎ１，Ｎ２を有することにより、第１方向におけるフォーカスレンズ群Ｌ６の小型化とレンズ鏡筒１の薄型化が実現されている。
なお、一般的には、第１及び第２平面Ｎ１，Ｎ２と対向する固定枠６００の第１及び第２内面Ｓ２，Ｓ４において、フォーカスレンズ群Ｌ６から出射される不要光が強くなる傾向がある。
［３．まとめ］
（１）実施形態に係るレンズ鏡筒１は、固定枠６００と、第１遮蔽板６１０と、を備える。固定枠６００は、第２方向に延びる壁に形成される第１貫通孔Ｔ１を有する。第１遮蔽板６１０は、第１貫通孔Ｔ１を固定枠６００の第１外面Ｓ１から塞ぐように配置される。第１遮蔽板６１０の固定枠６００内に露出する第１内面６１０Ｓの光反射率は、固定枠６００の第１内面Ｓ２の光反射率よりも低い。
【００１６】
このように、第１遮蔽板６１０が固定枠６００とは別に設けられているので、レンズ鏡筒１の材料として好適であるか否かに関わらず、第１遮蔽板６１０の材料を広く選択することができる。また、金型を用いて固定枠６００の第１内面Ｓ２に溝などを形成する場合に比べて、第１遮蔽板６１０の第１内面６１０Ｓに光反射率を低減させるための加工を施しやすい。従って、フォーカスレンズ群Ｌ６から出射される不要光を第１遮蔽板６１０により効率的に低減できるので、フレアやゴーストの発生を効果的に抑制することができる。
また、第１貫通孔Ｔ１が第１遮蔽板６１０によって塞がれているので、第１貫通孔Ｔ１を介してレンズ鏡筒１内部に埃や光が侵入することを抑制できる。
（２）第１遮蔽板６１０の第１内面６１０Ｓは、第２光軸ＡＸ２を基準として、固定枠６００の第１内面Ｓ２よりも外側に位置している。
【００１７】
そのため、図４に示すように、第１内面６１０Ｓを底面とする凹部６０５が第１内面Ｓ２に形成されるので、第１内面Ｓ２で反射される不要光（実線の矢印を参照）の光束Ｐ１を、第１内面Ｓ２に凹部６０５が形成されない場合の不要光（破線の矢印を参照）の光束Ｐ２よりも外側にずらすことができる。その結果、撮像素子９００に入射する不要光を低減できるので、フレアやゴーストの発生をより抑制することができる。
（３）第１貫通孔Ｔ１は、フォーカスレンズ群Ｌ６の第１平面Ｎ１と略平行な固定枠６００の第１内面Ｓ２に形成されている。
従って、フォーカスレンズ群Ｌ６から出射される不要光のうち特に強い光を第１遮蔽板６１０の第１内面６１０Ｓで受けることができる。そのため、顕著なフレアやゴーストが発生することを効果的に抑制することができる。
【００１８】
（４）第１遮蔽板６１０は、固定枠６００の第１外面Ｓ１に形成される凹部６０２内に配置されている。
従って、第１遮蔽板６１０が固定枠６００の外側に突出する幅を小さくすることができるので、レンズ鏡筒１の小型化を図ることができる。
［４．その他の実施形態］
（Ａ）上記実施形態において、固定枠６００は、第１及び第２貫通孔Ｔ１，Ｔ２を有することとしたが、これに限られるものではない。固定枠６００は、貫通孔を１つだけ、或いは３つ以上有していてもよい。
（Ｂ）上記実施形態において、第１及び第２貫通孔Ｔ１，Ｔ２は、固定枠６００のうち第１光軸ＡＸ１に直交する壁に形成されることとしたが、これに限られるものではない。第１及び第２貫通孔Ｔ１，Ｔ２それぞれは、固定枠６００のうち第１光軸ＡＸ１に平行な壁に形成されてもよい。
【００１９】
（Ｃ）上記実施形態において、第１及び第２遮蔽部材６１０，６２０は、第１及び第２貫通孔Ｔ１，Ｔ２に挿入されないこととしたが、これに限られるものではない。第１及び第２遮蔽部材６１０，６２０の一部は、第１及び第２貫通孔Ｔ１，Ｔ２に挿入されていてもよい。この場合、第１及び第２内面６１０Ｓ,６２０Ｓは、第１及び第２内面Ｓ２,Ｓ４よりも内側に突出していてもよい。
（Ｄ）上記実施形態において、第１及び第２貫通孔Ｔ１，Ｔ２は、固定枠６００に形成されることとしたが、これに限られるものではない。第１及び第２貫通孔Ｔ１，Ｔ２は、１群枠１００、２群枠２００或いは３群枠５２０に形成されていてもよい。この場合、第１及び第２貫通孔Ｔ１，Ｔ２は、前玉レンズ群Ｌ１とプリズムＬ２の間において１群枠１００に形成されていてもよい。
【００２０】
（Ｅ）上記実施形態において特に触れていないが、第１遮蔽板６１０が有する第１内面６１０Ｓの全面において、固定枠６００の第１内面Ｓ２の光反射率よりも低くなくてもよい。すなわち、第１内面６１０Ｓの少なくとも一部が、第１内面Ｓ２の光反射率よりも低ければ所望の効果を得ることができる。
（Ｆ）上記実施形態において、第１及び第２貫通孔Ｔ１，Ｔ２が形成される固定枠６００は、角筒状に形成されることとしたが、これに限られるものではない。固定枠６００は、円筒状などに形成されていてもよい。この場合、第１及び第２貫通孔Ｔ１，Ｔ２は、固定枠６００のうち第２方向に沿った壁に形成されていればよい。
【産業上の利用可能性】
【００２１】
ここに開示された技術によれば、フレアやゴーストを抑制可能なレンズ鏡筒を提供することができるので、例えば、カメラ、カメラ付き携帯電話、カメラ付きポータブル端末等に適用できる。
【符号の説明】
【００２２】
１    レンズ鏡筒
１００    １群枠
２００    ２群枠
３００    ズームモータ
４００    シャッターユニット
５００    像ぶれ補正ユニット
５１０    可動枠
５２０    ３群枠
６００    固定枠
６１０    第１遮蔽板
６２０    第２遮蔽板
７００    ４群枠
７００    フォーカスモータ
９００    撮像素子
９１０    板金
９２０    フレキシブルプリント基板
８１０    シールド板
T１    第１貫通孔
T２    第２貫通孔
【図１】
2015025826.tif 000003
【図２】
2015025826.tif 000004
【図３】
2015025826.tif 000005
【図４】
2015025826.tif 000006